【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
コンピュータ・システムにおけるインスタント・メッセージング方法において、
センダからのコンテントに含まれるインスタント・メッセージ（ＩＭ）を受け取り、
前記センダに関連したアニメーション化キャラクタを表示し、かつ
前記コンテントを前記アニメーション化キャラクタによりユーザに配送する
ことを含む前記方法。
【請求項２】
請求項１記載の方法において、
前記ＩＭからの前記ＩＭの前記センダの標識を判断する
ことを更に含む前記方法。
【請求項３】
請求項２記載の方法において、
前記センダの前記標識によりサーバに要求を送出し、かつ
前記サーバから前記センダに関連した前記アニメーション化キャラクタを受け取る
ことを更に含む前記方法。
【請求項４】
請求項１から３までのいずれかに記載の方法において、前記配送は、
テキスト・音声合成により前記ＩＭからのテキストをオーディオに変換し、かつ
前記オーディオをプレーする
ことを含む前記方法。
【請求項５】
請求項４記載の方法において、前記配送は、
前記オーディオの前記プレーと同期して前記キャラクタをアニメーション化する
ことを更に含む前記方法。
【請求項６】
請求項４記載の方法において、前記配送は、
前記ＩＭにおける顔文字を検出し、かつ
前記顔文字を反映するようにして前記キャラクタをアニメーション化する
ことを更に含む前記方法。
【請求項７】
請求項１から６までのいずれかに記載の方法において、前記表示は、ＩＭウィンドウの外側の前記アニメーション化キャラクタを表示することを含む前記方法。
【請求項８】
請求項７記載の方法において、ユーザが前記アニメーション化キャラクタをスクリーン上の任意位置に移動可能とされていることを更に含む前記方法。
【請求項９】
請求項１から８までのいずれかに記載の方法において、
サーバから広告ディテールを周期的に検索し、
前記広告を表すように指定されたアニメーション化キャラクタをダウンロードし、
前記広告を表すように指定されたアニメーション化キャラクタを表示し、かつ
前記広告に対して指定されたコンテントを配送する
ことを更に含む前記方法。
【請求項１０】
請求項１から９までのいずれかに記載の方法において、
サーバに警告を送出し、
人口知能（ＡＩ）アプリケーションにより発生した前記サーバからのコンテントを含む応答を受け取り、
前記ＡＩアプリケーションに関連したアニメーション化キャラクタを表示し、かつ
前記コンテントを前記ＡＩアプリケーションに関連した前記アニメーション化キャラクタによってユーザに送出する
ことを更に含む前記方法。
【請求項１１】
請求項１０記載の方法において、前記警告の送出は、
ウェブ・サーチを実行すべきことを指示するメッセージを送出し、かつ
前記ウェブ・サーチにおけるサーチにキーワードを送出する
ことを含む前記方法。
【請求項１２】
請求項１１記載の方法において、前記コンテントの前記送出は、前記ウェブ・サーチの結果を配送することを含む前記方法。
【請求項１３】
請求項１から１２までのいずれかに記載の方法において、
前記ユーザが受取人にＩＭメッセージを送出するときは、前記ユーザが前記受取人のコンピュータ・システムにおいて表示するように１以上の予め定めたアニメーション化キャラクタから選択可能とされている
ことを更に含む前記方法。
【請求項１４】
請求項１から１３までのいずれかに記載の方法において、
前記受取人にＩＭメッセージを送出するときは、前記ユーザが受取人のコンピュータ・システムにおいて表示されるアニメーション化キャラクタを作成する際に使用されるべきイメージをアップロード可能とされている
ことを更に含む前記方法。
【請求項１５】
コンピュータ・システム又はデジタル電話システム又はそれらの組み合わせのようなデジタル通信システムにおけるインスタント・メッセージング方法において、
１以上のセンダからのコンテントを含む１以上のインスタント・メッセージ（ＩＭ）を受信し、
ダイナミック・アレーを作成することによりキューを形成し、かつ前記キューに着信メッセージを挿入し、
キューにおけるアクション処理のタイミングを制御し、かつ必要なときは、前記センダに関連したアニメーション化キャラクタを表示し、
前記コンテントを前記アニメーション化キャラクタによりユーザに送出する
ことを含む前記方法。
【請求項１６】
請求項１５記載の方法において、アニメーション化キャラクタは、インスタント・メッセージ（ＩＭ）ウィンドウにより拘束されることなく、出力スクリーン上に表示可能とされる前記方法。
【請求項１７】
請求項１６記載の方法において、センダからのメッセージ・キューにおいて判断された複数のアニメーション化キャラクタは、イメージング・スクリーン上の同時的に表示可能とされ、かつメッセージはそれぞれのセンダのアニメーション化キャラクタにより逐次的に配送される前記方法。
【請求項１８】
請求項１５乃至１７のうちのいずれかの項記載の方法において、メッセージ・ウィンドウは、連続的に走査され、かつ前のメッセージと比較されてメッセージが受け取られたか否かを判断し、かつ受け取られたときは、メッセージを解析し、かつキューに配置する前記方法。
【請求項１９】
インスタント・メッセージ（ＩＭ）を管理する方法において、
アニメーション化キャラクタに対するユーザからの要求を受け取るものであって、前記要求が前記ユーザに対するＩＭメッセージにセンダの標識を含み、
前記標識によりデータ・ベースを照会し、
前記データ・ベースから前記アニメーション化キャラクタに関する情報を受け取り、かつ
前記ユーザに前記アニメーション化キャラクタに関する前記情報を転送する
ことを含む前記方法。
【請求項２０】
請求項１９記載の方法において、前記アニメーション化キャラクタに関する前記情報は、前記アニメーション化キャラクタを表すアニメーション・ファイル用の位置を含む前記方法。
【請求項２１】
請求項１９あるいは２０記載の方法において、
広告に対して前記ユーザからの周期的な要求を受け取り、
広告データ・ベースから広告を選択し、かつ
前記ユーザに前記広告をサービスする
ことを更に含む前記方法。
【請求項２２】
請求項１９、２０及び２１のいずれか記載の方法において、
ＩＭメッセージ内に前記ユーザからの警告が送出されたときを検出する
ことを更に含み、前記ＩＭメッセージは、
前記警告及び前記コンテントを人工知能アプリケーションに渡し、
前記人工知能アプリケーションから応答を受け取り、
前記応答を前記ユーザに転送する
コンテントを更に含む前記方法。
【請求項２３】
請求項２２記載の方法において、前記人工知能アプリケーションは、前記ユーザに対するインタラクティブ・ヘルプを提供する前記方法。
【請求項２４】
請求項２２記載の方法において、前記人工知能アプリケーションは、前記ユーザに対するウェブ・サーチ能力を提供する前記方法。
【請求項２５】
請求項１９から２４までのいずれかに記載の方法において、
ユーザが短メッセージ・サービス（ＳＭＳ）又はマルチメディア・メッセージ・サービス（ＭＭＳ）フォーマットを利用してデバイスに転送されるべき全てのメッセージをしたいことを表示するメッセージを前記ユーザから受け取り、
データ・ベースから前記装置の標識を検索し、
ＳＭＳ又はＭＭＳにおいて前記ユーザ向けのメッセージをフォーマットし、かつ
前記標識と共に通信ゲート・ウェイに前記フォーマットしたメッセージを転送する
ことを更に含む前記方法。
【請求項２６】
請求項２５記載の方法において、前記標識はセルラ電話番号である前記方法。
【請求項２７】
請求項１９から２６までのいずれかに記載の方法において、
前記ユーザからイメージを受け取り、
アニメーション化キャラクタとして前記イメージをレンダリングし、かつ
前記レンダリングしたイメージを前記データ・ベースにセーブする
ことを更に含む前記方法。
【請求項２８】
請求項２７記載の方法において、
前記イメージをクロッピングすることを更に含む前記方法。
【請求項２９】
請求項２７記載の方法において、前記レンダリングは、
前記イメージから無関係な情報を削除し、
前記イメージを３次元イメージに変換し、
前記イメージを予め構築した位置へ操作し、かつ
前記アニメーション化キャラクタのために１以上のアニメーションのそれぞれに対してベース位置から新しい位置への移動を補間して実行する
ことを備えている前記方法。
【請求項３０】
請求項２９記載の方法において、前記レンダリングは、
前記イメージを３次元幾何学エンジンに導入する
ことを更に備えている前記方法。
【請求項３１】
コンピュータ・システムにおけるインスタント・メッセージ伝達装置において、
ＩＭ受信器と、
前記ＩＭ受信器に接続されたアニメーション化キャラクタ・ディスプレイヤと、
前記アニメーション化キャラクタ・ディスプレイヤに接続されたアニメーション化キャラクタ・コンテント・センダと、
前記ＩＭ受信器に結合されたセンダ識別判別器と
を含む前記装置。
【請求項３２】
請求項３１記載の装置において、
前記センダ識別判断器に結合されたサーバ要求センダと、
前記アニメーション化キャラクタ・ディスプレイヤに結合されたアニメーション化キャラクタ受信器と
を更に含む前記装置。
【請求項３３】
請求項３１記載の装置において、前記アニメーション化キャラクタ・コンテントのセンダは、
テキスト・音声シンセサイザと、
前記テキスト・音声シンセサイザに接続されたオーディオ・プレーヤと
を含む前記装置。
【請求項３４】
請求項３３記載の方法において、前記アニメーション化キャラクタ・コンテント・センダは、
アニメーション化キャラクタ・オーディオ・シンセサイザ
を更に含む前記装置。
【請求項３５】
請求項３３記載の装置において、前記アニメーション化キャラクタ・コンテント・センダは、
顔文字検出器と
前記顔文字検出器に接続された顔文字・キャラクタ・アニメータと
を更に含む前記装置。
【請求項３６】
請求項３１から３５までのいずれかに記載の装置において、前記アニメーション化キャラクタ・ディスプレイヤは、ＩＭウィンドウ−外部キャラクタ・ディスプレイヤを含む前記装置。
【請求項３７】
請求項３１から３６までのいずれかに記載の装置において、前記アニメーション化キャラクタ・ディスプレイヤは、アニメーション化キャラクタ・ムーバを更に含む前記装置。
【請求項３８】
請求項３１から３７までのいずれかに記載の装置において、
広告ディテールの周期的レトリーバと、
前記広告ディテールの周期的レトリーバ、及び前記アニメーション化キャラクタ・コンテント・センダに接続されたアニメーション化キャラクタ・ダウンローダと
を更に含む前記装置。
【請求項３９】
請求項３１から３８までのいずれかに記載の装置において、
サーバ警告センダと、
前記アニメーション化キャラクタ・ディスプレイヤ、及び前記アニメーション化キャラクタ・コンテント配送器に接続された人口的インテリジェンス応答受信器と
を更に含む装置。
【請求項４０】
請求項３９記載の装置において、前記サーバ警告センダは、
ウェブ・サーチ・メッセージ・センダと、
前記ウェブ・サーチ・メッセージ・センダに接続されたキーワード・センダと
を備えた装置。
【請求項４１】
請求項４０記載の装置において、前記アニメーション化キャラクタ・コンテント配送器は、ウェブ・サーチ結果配送器を備えている前記装置。
【請求項４２】
インスタント・メッセージング（ＩＭ）システムを管理する装置において、
アニメーション化キャラクタ要求受信器と、
前記アニメーション化キャラクタ要求受信器に接続されたデータ・ベース照会発生器と、
アニメーション化キャラクタ・データ・ベース情報受信器と、
前記アニメーション化キャラクタ・データ・ベース情報受信器に接続されたアニメーション化キャラクタ・データ・ベース情報転送器と
を含む前記装置。
【請求項４３】
請求項４２記載の装置において、
周期的な広告要求受信器と、
前記周期的な広告要求受信器に接続された広告選択器と、
前記広告選択器に接続された広告サーバと
を更に含む前記装置。
【請求項４４】
請求項４３記載の装置において、
警告検出器と、
前記警告検出器に接続された人工知能警告パッサーと、
人工知能応答受信器と、
前記人工知能応答受信器に接続された人工知能応答転送受信器と
を更に含む前記装置。
【請求項４５】
請求項４２から４４までのいずれかに記載の装置において、
ＳＭＳ又はＭＭＳ転送メッセージ受信器と、
前記ＳＭＳ転送メッセージ受信器に接続されたＳＭＳ又はＭＭＳ装置標識リトリーバと、
ＳＭＳ又はＭＭＳメッセージ・フォーマッタと
前記ＳＭＳメッセージ・フォーマッタ及び前記ＳＭＳ装置標識リトリーバに接続されたＳＭＳ又はＭＭＳメッセージ転送器と
を更に含む前記装置。
【請求項４６】
請求項４２から４５までのいずれか記載の装置において、
イメージ受信器と、
前記イメージ受信器かつ、に対するアニメーション化キャラクタ・イメージ・レンダラーと、
前記アニメーション化キャラクタ・イメージ・レンダラーに接続されたアニメーション化キャラクタ・サーバと
を更に含む前記装置。
【請求項４７】
請求項４６記載の装置において、前記アニメーション化キャラクタ・レンダラーは、
無関係情報削除器と、
前記無関係情報削除器に接続された３次元イメージ修正器と、
前記３次元イメージ修正器に接続された予備構成位置イメージ・マニピュレータ
と、
前記予備構成位置イメージ・マニピュレータに接続された動き補間器と
を備えた前記装置。
【請求項４８】
請求項４７記載の装置において、前記アニメーション化キャラクタ・レンダラーは、
前記動き補間器に接続された３次元幾何学エンジン
を更に含む前記装置。
【請求項４９】
コンピュータ・システムにおけるインスタント・メッセージング装置において、
センダからのコンテントを含むインスタント・メッセージ（ＩＭ）を受け取る手段と、
前記センダに関連したアニメーション化キャラクタを表示する手段と、
前記コンテントを前記アニメーション化キャラクタによってユーザに配送する手段と
を含む前記装置。
【請求項５０】
請求項４９記載の装置において、
前記ＩＭからの前記ＩＭのセンダに関する標識を判断する手段
を更に含む前記装置。
【請求項５１】
請求項５０記載の装置において、
前記センダの前記識別子によりサーバに要求を送出する手段と、
前記サーバから前記センダに関連した前記アニメーション化キャラクタを受け取る手段と
を更に含む前記装置。
【請求項５２】
請求項４９、５０及び５１のいずれか記載の装置において、前記配送する手段は、
テキスト・音声合成によりテキストを前記ＩＭからオーディオに変換する手段と
前記オーディオをプレーする手段と
を含む前記装置。
【請求項５３】
請求項５２記載の装置において、前記配送する手段は、
前記オーディオのプレーと同期して前記キャラクタをアニメーション化する手段と
を更に含む前記装置。
【請求項５４】
請求項５２記載の装置において、前記配送する手段は、
前記ＩＭにおける顔文字を検出する手段と、
前記顔文字を反映させるようにして前記キャラクタをアニメーション化する手段と
を更に含む前記装置。
【請求項５５】
請求項４９から５４までのいずれか記載の装置において、前記表示する手段は、
ＩＭウィンドウの外側に前記アニメーション化キャラクタを表示する手段を含む前記装置。
【請求項５６】
請求項５５記載の装置において、ユーザがスクリーン上の任意位置に前記アニメーション化キャラクタを移動可能とされている手段を更に含む前記装置。
【請求項５７】
請求項４９から５６までのいずれか記載の装置において、
サーバから広告ディテールを周期的に取り出す手段と、
前記広告を表すように指定されたアニメーション化キャラクタをダウンロードする手段と、
前記広告を表すように指定された前記アニメーション化キャラクタを表示する手段と、
前記広告に対して指定されたコンテントを配送する手段と
を更に含む前記装置。
【請求項５８】
請求項４９から５７までのいずれか記載の装置において、
サーバに警告を送出する手段と、
人工知能（ＡＩ）アプリケーションにより発生した前記サーバからのコンテントを含む応答を受け取る手段と、
前記ＡＩアプリケーションに関連したアニメーション化キャラクタを表示する手段と、
前記ＡＩアプリケーションに関連した前記アニメーション化キャラクタによりユーザに前記コンテントを配送する手段と
を更に含む前記装置。
【請求項５９】
請求項５８記載の装置において、前記警告を送出する手段は、
ウェブ・サーチを実行すべきことを表示するメッセージ送出手段と、
前記ウェブ・サーチにおいてサーチするためにキーワードを送出する手段と
を含む前記装置。
【請求項６０】
請求項５９記載の装置において、前記コンテントを前記配送する手段は、前記ウェブ・サーチの結果を送出する手段を備えている前記装置。
【請求項６１】
請求項４９から６０までのいずれか記載の装置において、
前記ユーザが前記受取人にＩＭメッセージを送出するときに、ユーザが前記受取人のコンピュータ・システムにおいて表示されるべき１以上の予め定めたアニメーション化キャラクタから選択可能とされている手段
を更に含む前記装置。
【請求項６２】
請求項４９から６１までのいずれか記載の装置において、
前記ユーザが前記受取人にＩＭメッセージを送出するときは、前記ユーザが受取人のコンピュータ・システムにおいて表示されるべきアニメーション化キャラクタを作成する際に使用されるイメージをアップロード可能とする手段を更に含む前記装置。
【請求項６３】
インスタント・メッセージ（ＩＭ）を管理する装置において、
アニメーション化キャラクタに対するユーザからの要求を受け取る手段であって、前記要求が前記ユーザへのＩＭメッセージにセンダの標識を含む、受け取る手段と、
前記標識によりデータ・ベースを照会する装置と、
前記データ・ベースから前記アニメーション化キャラクタに関する情報を受け取る手段と、
前記ユーザに前記アニメーション化キャラクタに関する前記情報を転送する手段と
を含む前記装置。
【請求項６４】
請求項６３記載のインスタント・メッセージ（ＩＭ）システムを管理する装置において、
ダイナミック・アレーを作成し、かつ着信するメッセージを前記キューに挿入することにより、キューを形成する手段と、
前記キューにおけるアクション処理のタイミングを制御し、かつ必要なときは、前記センダに関連したアニメーション化キャラクタを表示する手段と、
インスタント・メッセージ（ＩＭ）ウィンドウにより拘束されることなく、出力スクリーン上に前記アニメーション化キャラクタによる前記コンテントをユーザに対して配送する手段と
を含む装置。
【請求項６５】
請求項６４記載のインスタント・メッセージ（ＩＭ）システムを管理する装置において、
出力スクリーン上に前記コンテントを配送する手段は、センダからのメッセージのキューにおいて判断された複数のアニメーション化キャラクタをイメージング・スクリーン上に同時的に表示し、かつ複数のメッセージをそれぞれのセンダのアニメーション化キャラクタにより逐次的に配送可能にした前記装置。
【請求項６６】
請求項６５のインスタント・メッセージ（ＩＭ）システムを管理する装置において、メッセージング・ウィンドウを連続的に走査し、かつ前のメッセージングと比較してメッセージを受信したか否かを判断し、かつ受信したのであれば、メッセージを解析し、かつキューに位置する手段を含む前記装置。
【請求項６７】
請求項６３から６６までのいずれか記載の装置において、前記アニメーション化キャラクタに関する前記情報は、前記アニメーション化キャラクタを表すアニメーション・ファイル等の位置を含む前記装置。
【請求項６８】
請求項６３から６７までのいずれか記載の装置において、
広告に対する前記ユーザからの周期的な要求を受け取る手段と、
広告データ・ベースから広告を選択する手段と、
前記ユーザに前記広告をサービスする手段と
を更に含む前記装置。
【請求項６９】
請求項６３から６８までのいずれか記載の装置において、
前記警告が前記ユーザから、コンテントも含んでいるＩＭメッセージにより送出されたときを検出する手段と、
前記警告及び前記コンテントを人工知能アプリケーションに渡す手段と、
前記人工知能アプリケーションからの応答を受け取る手段と、
前記応答を前記ユーザに転送する手段と
を更に含む前記装置。
【請求項７０】
請求項６９記載の方法において、前記人工知能アプリケーションは、前記ユーザにインタラクティブ・ヘルプを提供する前記装置。
【請求項７１】
請求項７０記載の装置において、前記人工知能アプリケーションは、前記ユーザにウェブ・サーチ能力を提供する前記装置。
【請求項７２】
請求項６３から７１までのいずれか記載の装置において、
ユーザが短メッセージ・サービス（ＳＭＳ）又はマルチメディア・メッセージ・サービス（ＭＭＳ）フォーマットを使用して、全てのメッセージをデバイスに転送したいことを表すメッセージを前記ユーザから受け取る手段と、
データ・ベースから前記装置の標識を検索する手段と、
ＳＭＳ又はＭＭＳにおいて前記ユーザ向けのメッセージをフォーマットする手段と、
通信ゲート・ウェイに前記フォーマットしたメッセージを前記標識と共に転送する手段と
を更に含む前記装置。
【請求項７３】
請求項７２記載の装置において、前記標識はセルラ電話番号である前記装置。
【請求項７４】
請求項７２あるいは７３記載の装置において、
前記ユーザからイメージを受け取る手段と、
アニメーション化キャラクタとして前記イメージをレンダリングする手段と、
前記レンダリングしたイメージを前記データ・ベースにセーブする手段と
を更に含む前記装置。
【請求項７５】
請求項７２、７３及び７４のいずれか記載の装置において、
前記イメージをクロッピングする手段を更に含む前記装置。
【請求項７６】
請求項７４あるいは７５記載の装置において、前記レンダリングする手段は、
前記イメージから無関係な情報を削除する手段と、
前記イメージを３次元イメージに変換する手段と、
前記イメージを予め構築した位置へ操作する手段と、
前記アニメーション化キャラクタに対する１以上のアニメーションのそれぞれに関するベース位置から新しい位置への移動を補間して実行する手段と
ことを備えている前記装置。
【請求項７７】
請求項７６記載の装置において、前記レンダリングする手段は、
前記イメージを３次元幾何学エンジンに導入する手段
を更に備えている前記装置。
【請求項７８】
マシンにより実行可能な命令のプログラムを実体的に内蔵してコンピュータ・システムにおいてインスタント・メッセージング方法を実行するように、マシンにより読み出し可能なプログラム・ストーレジ装置において、前記方法は、
センダからコンテントを含むインスタント・メッセージ（ＩＭ）を受け取り、
前記センダに関連したアニメーション化キャラクタを表示し、
前記コンテントを前記アニメーション化キャラクタによりユーザに配送する
ことを含む前記プログラム・ストレージ装置。
【請求項７９】
マシンにより実行可能な命令のプログラムを実体的に内蔵してインスタント・メッセージング（ＩＭ）システムを管理する方法を実行するように、マシンにより読み出し可能なプログラム・ストーレジ装置において、前記方法は、
アニメーション化キャラクタに対するユーザからの要求を受信し、前記要求が前記ユーザに対するＩＭメッセージのセンダの標識を含み、
前記標識によりデータ・ベースを照会し、
前記データ・ベースから前記アニメーション化キャラクタに関する情報を受け取り、かつ
前記ユーザに前記アニメーション化キャラクタに関する前記情報を転送する
ことを含む前記プログラム・ストレージ装置。